(57)【要約】【課題】ソフトハンドオーバが適用されるＡ−ＤＰＣＨ（Ａｓｓｏｃｉａｔｅｄ−　Ｄｅｄｉｃａｔｅｄ　Ｐｈｙｓｉｃａｌ　Ｃｈａｎｎｅｌ）とハードハンドオーバが適用されるＨＳ−ＤＰＣＣＨ（Ｈｉｇｈ　Ｓｐｅｅｄ　−　Ｄｅｄｉｃａｔｅｄ　Ｐｈｙｓｉｃａｌ　Ｃｏｎｔｒｏｌ　Ｃｈａｎｎｅｌ）とが混在する無線通信システムにおいて、アウターループ送信電力制御の目標ＳＩＲを適切な値に設定すること。【解決手段】制御局の目標ＳＩＲ設定部３０が、Ａ−ＤＰＣＨがソフトハンドオーバ状態にない場合は、Ａ−ＤＰＣＨのＣＲＣ結果に基づいてＨＳ−ＤＰＣＣＨの目標ＳＩＲを設定する一方、Ａ−ＤＰＣＨがソフトハンドオーバ状態にある場合は、ＨＳ−ＤＰＣＣＨのＣＲＣ結果に基づいてＨＳ−ＤＰＣＣＨの目標ＳＩＲを設定する。【選択図】　　　図１
2004088271.tif 000002
【特許請求の範囲】
【請求項１】
ソフトハンドオーバが適用される第１個別チャネルと、ハードハンドオーバが適用される第２個別チャネルと、が混在する無線通信システムにおいて使用されるアウターループ送信電力制御の目標ＳＩＲ設定方法であって、
第１個別チャネルがソフトハンドオーバ状態にない場合は、第１個別チャネルの誤り検出結果に基づいて第２個別チャネルの目標ＳＩＲを設定する一方、
第１個別チャネルがソフトハンドオーバ状態にある場合は、第２個別チャネルの誤り検出結果に基づいて第２個別チャネルの目標ＳＩＲを設定する、
ことを特徴とする目標ＳＩＲ設定方法。
【請求項２】
ソフトハンドオーバが適用される第１個別チャネルと、ハードハンドオーバが適用される第２個別チャネルと、が混在する無線通信システムにおいて使用されるアウターループ送信電力制御の目標ＳＩＲ設定方法であって、
第１個別チャネルがソフトハンドオーバ状態にない場合は、第２個別チャネルの目標ＳＩＲを、第１個別チャネルの目標ＳＩＲと等しい値に設定する一方、
第１個別チャネルがソフトハンドオーバ状態にある場合は、第２個別チャネルの目標ＳＩＲを、第１個別チャネルの目標ＳＩＲにオフセットを加えた値に設定する、
ことを特徴とする目標ＳＩＲ設定方法。
【請求項３】
ソフトハンドオーバが適用される第１個別チャネルと、ハードハンドオーバが適用される第２個別チャネルと、が混在する無線通信システムにおいて使用されるアウターループ送信電力制御の目標ＳＩＲ設定方法であって、
第１個別チャネルがソフトハンドオーバ状態である場合に、第１個別チャネルおよび第２個別チャネルの双方に接続している基地局における第１個別チャネルの目標ＳＩＲを、その基地局が接続している第１個別チャネルの誤り検出結果のみに基づいて設定する、
ことを特徴とする目標ＳＩＲ設定方法。
【請求項４】
第２個別チャネルの目標ＳＩＲを、第１個別チャネルの目標ＳＩＲと等しい値に設定する、
ことを特徴とする請求項３記載の目標ＳＩＲ設定方法。
【請求項５】
第２個別チャネルの目標ＳＩＲを、第１個別チャネルの目標ＳＩＲにオフセットを加えた値に設定する、
ことを特徴とする請求項３記載の目標ＳＩＲ設定方法。
【請求項６】
第１個別チャネルの誤り検出結果と第２個別チャネルの誤り検出結果との比較結果に基づいてオフセット量を制御する、
ことを特徴とする請求項５記載の目標ＳＩＲ設定方法。
【請求項７】
ソフトハンドオーバが適用される第１個別チャネルと、ハードハンドオーバが適用される第２個別チャネルと、が混在する無線通信システムにおいて使用されるアウターループ送信電力制御の目標ＳＩＲ設定方法であって、
第１個別チャネルがソフトハンドオーバ状態にある場合に、ハンドオーバ元基地局が、ハンドオーバ先基地局に対して、自局に設定されている第２個別チャネルの目標ＳＩＲを通知し、
前記ハンドオーバ先基地局が、通知された目標ＳＩＲを、自局での第２個別チャネルの目標ＳＩＲとして設定する、
ことを特徴とする目標ＳＩＲ設定方法。
【発明の詳細な説明】
【０００１】
【発明の属する技術分野】
本発明は、アウターループ送信電力制御の目標ＳＩＲ設定方法に関する。
【０００２】
【従来の技術】
無線通信システムの分野において、高速大容量な下りチャネルを複数の通信端末が共有し、下り回線で高速パケット伝送を行うＨＳＤＰＡ（Ｈｉｇｈ　Ｓｐｅｅｄ　Ｄｏｗｎｌｉｎｋ　Ｐａｃｋｅｔ　Ａｃｃｅｓｓ）が提案されている。また、最近、上り回線のパケット伝送速度を高速化するための技術（この技術を、以下、本明細書中ではＦａｓｔ−ＵＬ（Ｆａｓｔ　−　Ｕｐｌｉｎｋ）という）が検討されている。ＨＳＤＰＡでは、ＨＳ−ＰＤＳＣＨ（Ｈｉｇｈ　Ｓｐｅｅｄ　−　Ｐｈｙｓｉｃａｌ　Ｄｏｗｎｌｉｎｋ　Ｓｈａｒｅｄ　Ｃｈａｎｎｅｌ）、Ａ−ＤＰＣＨ（Ａｓｓｏｃｉａｔｅｄ　−　Ｄｅｄｉｃａｔｅｄ　Ｐｈｙｓｉｃａｌ　Ｃｈａｎｎｅｌ）、ＨＳ−ＤＰＣＣＨ（Ｈｉｇｈ　Ｓｐｅｅｄ　−Ｄｅｄｉｃａｔｅｄ　Ｐｈｙｓｉｃａｌ　Ｃｏｎｔｒｏｌ　Ｃｈａｎｎｅｌ）等の複数のチャネルが用いられる。また、Ｆａｓｔ−ＵＬでも同様に、ＨＳ−ＰＵＳＣＨ（Ｈｉｇｈ　Ｓｐｅｅｄ　−　Ｐｈｙｓｉｃａｌ　Ｕｐｌｉｎｋ　Ｓｈａｒｅｄ　Ｃｈａｎｎｅｌ）、Ａ−ＤＰＣＨ、ＨＳ−ＤＰＣＣＨ等の複数のチャネルが用いられると考えられる。
【０００３】
ＨＳ−ＰＤＳＣＨは、パケットの伝送に使用される下り方向の共有チャネルである。ＨＳ−ＰＵＳＣＨは、パケットの伝送に使用される上り方向の共有チャネルである。Ａ−ＤＰＣＨは、共有チャネルに付随する、上り方向または下り方向の個別付随チャネルであり、パイロット信号やＴＰＣ（Ｔｒａｎｓｍｉｓｓｉｏｎ　Ｐｏｗｅｒ　Ｃｏｎｔｒｏｌ）コマンドおよび通信を維持するための制御信号等が伝送される。ＨＳ−ＤＰＣＣＨは、上り方向または下り方向の個別制御チャネルであり、ＡＣＫ信号あるいはＮＡＣＫ信号、ＣＱＩ（Ｃｈａｎｎｅｌ　Ｑｕａｌｉｔｙ　Ｉｎｄｉｃａｔｏｒ）信号等、共有チャネルを制御するための信号が伝送される。なお、ＡＣＫ信号とは、基地局また通信端末から送信された高速パケットが、通信端末または基地局において正しく復調できたことを示す信号であり、ＮＡＣＫ信号とは、基地局また通信端末から送信された高速パケットが、通信端末または基地局において正しく復調できなかったことを示す信号である。また、ＣＱＩは、回線品質に基づいて作成される信号であり、例えば、パケットの変調方式、ブロックサイズ、送信電力調節値等の組み合わせを示す信号である。ＨＳＤＰＡでは、通信端末は、このＣＱＩを使用して、自分が望む変調方式、ブロックサイズ、送信電力調節値等を通信相手に通知する。Ｆａｓｔ−ＵＬでのＣＱＩも回線品質に基づいて作成される信号ではあるが、その具体的な内容については決まっていない。
【０００４】
なお、Ｆａｓｔ−ＵＬでは、Ａ−ＤＰＣＨ、ＨＳ−ＤＰＣＣＨ共に、上り方向および下り方向の双方が存在し、上り方向のＨＳ−ＤＰＣＣＨを介してＣＱＩが伝送され、下り方向のＨＳ−ＤＰＣＣＨを介してＡＣＫ信号／ＮＡＣＫ信号が伝送される。これに対し、ＨＳＤＰＡでは、Ａ−ＤＰＣＨは上り方向および下り方向の双方が存在するが、ＨＳ−ＤＰＣＣＨは上り方向しか存在せず、上り方向のＨＳ−ＤＰＣＣＨを介してＣＱＩとＡＣＫ信号／ＮＡＣＫ信号が伝送される。また、Ａ−ＤＰＣＨにはソフトハンドオーバ（ＳＨＯ）が適用される。これに対し、ＨＳ−ＰＤＳＣＨ、ＨＳ−ＰＵＳＣＨおよびＨＳ−ＤＰＣＣＨにはハードハンドオーバ（ＨＨＯ）が適用され、ＨＳ−ＰＤＳＣＨ、ＨＳ−ＰＵＳＣＨおよびＨＳ−ＤＰＣＣＨは常に１つの基地局だけと接続される。また、ＨＳ−ＰＤＳＣＨやＨＳ−ＰＵＳＣＨがＨＨＯするタイミングと、ＨＳ−ＤＰＣＣＨがＨＨＯするタイミングは同じである。
【０００５】
また、ＨＳＤＰＡやＦａｓｔ−ＵＬでの送信電力制御には、アウターループ送信電力制御が用いられることがある。アウターループ送信電力制御では、受信品質を所要品質に保つために、受信品質に応じて目標ＳＩＲを上下する。そして、目標ＳＩＲと受信ＳＩＲとの比較結果に基づいてＴＰＣコマンドが作成される。
受信品質としては、ＣＲＣ（Ｃｙｃｌｉｃ　Ｒｅｄｕｎｄａｎｃｙ　Ｃｈｅｃｋ）による誤り検出結果（ＣＲＣ結果）に基づいたＢＬＥＲ（Ｂｌｏｃｋ　Ｅｒｒｏｒ　Ｒａｔｅ）を用いる。ＣＲＣ＝ＯＫの場合は目標ＳＩＲをＤｅｃだけ下げ、ＣＲＣ＝ＮＧの場合は目標ＳＩＲをＩｎｃだけ上げる。目標ＢＬＥＲをＢＬＥＲ＿Ｔとすると、ＤｅｃおよびＩｎｃの関係は以下の式で表される。ただし、Ｉｎｃ＞０である。
Ｉｎｃ　×　ＢＬＥＲ＿Ｔ　＝　Ｄｅｃ　×　（１　−　ＢＬＥＲ＿Ｔ）　　…（１）
【０００６】
【発明が解決しようとする課題】
ＨＳＤＰＡやＦａｓｔ−ＵＬでは、ＨＳ−ＤＰＣＣＨのアウターループ送信電力制御を、Ａ−ＤＰＣＨのＣＲＣ結果に基づいて設定された目標ＳＩＲを用いて行っている。ここで、基地局におけるＡ−ＤＰＣＨの目標ＳＩＲは、基地局を制御する制御局によって、Ａ−ＤＰＣＨのＣＲＣ結果に基づいて設定される。
【０００７】
以下、Ｆａｓｔ−ＵＬを例に挙げ、アウターループ送信電力制御について図１２、図１３を用いて説明する。図１２は、Ａ−ＤＰＣＨがＳＨＯ状態にない場合を示し、図１３は、Ａ−ＤＰＣＨがＳＨＯ状態にある場合を示す。ここで、Ａ−ＤＰＣＨがＳＨＯ状態にない場合とは、通信端末が１つの基地局との間だけでＡ−ＤＰＣＨを接続している状態にある場合であり、Ａ−ＤＰＣＨがＳＨＯ状態にある場合とは、通信端末が複数の基地局との間で同時にＡ−ＤＰＣＨを接続している状態にある場合である。
【０００８】
図１２に示すように、通信端末が基地局１とだけ通信しているときは、Ａ−ＤＰＣＨのＣＲＣ結果が基地局１から制御局に送られる。制御局では、このＡ−ＤＰＣＨのＣＲＣ結果に基づいて目標ＳＩＲを設定し、基地局１に通知する。すなわち、ＣＲＣ＝ＯＫの場合は目標ＳＩＲをＤｅｃだけ下げ、ＣＲＣ＝ＮＧの場合は目標ＳＩＲをＩｎｃだけ上げる。そして、基地局１は、目標ＳＩＲとＡ−ＤＰＣＨの受信ＳＩＲとの比較結果に基づいてＡ−ＤＰＣＨ用のＴＰＣコマンドを作成して、このＴＰＣコマンドをＡ−ＤＰＣＨを介して通信端末へ送信する。また、基地局１は、目標ＳＩＲとＨＳ−ＤＰＣＣＨの受信ＳＩＲとの比較結果に基づいてＨＳ−ＤＰＣＣＨ用のＴＰＣコマンドを作成して、このＴＰＣコマンドをＨＳ−ＤＰＣＣＨを介して通信端末へ送信する。通信端末は、Ａ−ＤＰＣＨ用のＴＰＣコマンドに従ってＡ−ＤＰＣＨの送信電力を制御し、ＨＳ−ＤＰＣＣＨ用のＴＰＣコマンドに従ってＨＳ−ＤＰＣＣＨの送信電力を制御する。なお、基地局１がＨＳ−ＤＰＣＣＨ用のＴＰＣコマンドを作成および送信せず、通信端末がＡ−ＤＰＣＨ用のＴＰＣコマンドに従ってＨＳ−ＤＰＣＣＨの送信電力制御を行うこともある。このようにして、Ａ−ＤＰＣＨがＳＨＯ状態にない場合には、基地局１において、Ａ−ＤＰＣＨの受信品質およびＨＳ−ＤＰＣＣＨの受信品質が所要品質を満たすことができる。
【０００９】
通信端末が基地局１から基地局２の方へ移動すると、通信端末は基地局１との間および基地局２との間の双方でＡ−ＤＰＣＨを接続し、Ａ−ＤＰＣＨがＳＨＯ状態になる。そして、Ａ−ＤＰＣＨがＳＨＯ状態になると、基地局１および基地局２の双方が、通信端末から送信されたＡ−ＤＰＣＨ信号を受信する。基地局１および基地局２はそれぞれ、自局が受信したＡ−ＤＰＣＨ信号のＣＲＣ結果を制御局に送る。制御局は、２つのＣＲＣ結果の双方がＣＲＣ＝ＮＧであれば目標ＳＩＲをＩｎｃだけ上げ、２つのＣＲＣ結果のうち１つでもＣＲＣ＝ＯＫであれば目標ＳＩＲをＤｅｃだけ下げる。よって、例えば、基地局１でＣＲＣ＝ＮＧとなり、基地局２でＣＲＣ＝ＯＫとなった場合には、目標ＳＩＲはＤｅｃだけ下げられる。このような目標ＳＩＲの制御が行われると、Ａ−ＤＰＣＨがＳＨＯ状態にある場合の目標ＳＩＲは、Ａ−ＤＰＣＨがＳＨＯ状態にない場合の目標ＳＩＲよりも低い値に設定される。そして、Ａ−ＤＰＣＨ用のＴＰＣコマンドおよびＨＳ−ＤＰＣＣＨ用のＴＰＣコマンドの双方が、この下げられた目標ＳＩＲを用いて作成される。
【００１０】
ここで、Ａ−ＤＰＣＨについては、Ａ−ＤＰＣＨがＳＨＯ状態にある場合は、基地局１で受信されたＡ−ＤＰＣＨ信号と基地局２で受信されたＡ−ＤＰＣＨ信号とが制御局において選択合成される。このため、目標ＳＩＲが下げられた結果、図１３に示すように、Ａ−ＤＰＣＨの送信電力を下げることを指示するＴＰＣコマンドが基地局１および基地局２から送信され、通信端末においてＡ−ＤＰＣＨの送信電力が下げられた場合でも、制御局では上り方向のＡ−ＤＰＣＨの品質が所要品質を満たすため、特に問題ない。なお、通信端末は、受信した複数のＴＰＣコマンドのすべてが送信電力を上げることを指示するＴＰＣコマンドであれば、Ａ−ＤＰＣＨの送信電力を上げ、受信した複数のＴＰＣコマンドのうち１つでも送信電力を下げることを指示するＴＰＣコマンドであれば、Ａ−ＤＰＣＨの送信電力を下げる。
【００１１】
これに対し、ＨＨＯが適用されるＨＳ−ＤＰＣＣＨは、Ａ−ＤＰＣＨがＳＨＯ状態にある場合でも、いずれか１つの基地局との間でしか接続されない。このため、目標ＳＩＲが下げられた結果、図１３に示すように、ＨＳ−ＤＰＣＣＨの送信電力を下げることを指示するＴＰＣコマンドが基地局１から送信され、通信端末においてＨＳ−ＤＰＣＣＨの送信電力が下げられると、上り方向のＨＳ−ＤＰＣＣＨは目標ＳＩＲを満たしても所要品質（ＢＬＥＲ）を満たさなくなってしまうことがある。
【００１２】
本発明はかかる点に鑑みてなされたものであり、ＳＨＯが適用されるＡ−ＤＰＣＨとＨＨＯが適用されるＨＳ−ＤＰＣＣＨとが混在する無線通信システムにおいて、アウターループ送信電力制御の目標ＳＩＲを適切な値に設定して、ＨＳ−ＤＰＣＣＨの受信品質を所要品質に保つことができる目標ＳＩＲ設定方法を提供することを目的とする。
【００１３】
【課題を解決するための手段】
本発明は、上記課題を解決し、目的を達成するために、ＳＨＯが適用されるＡ−ＤＰＣＨとＨＨＯが適用されるＨＳ−ＤＰＣＣＨとが混在する無線通信システムにおいて、Ａ−ＤＰＣＨがＳＨＯ状態にない場合は、Ａ−ＤＰＣＨの誤り検出結果に基づいてＨＳ−ＤＰＣＣＨの目標ＳＩＲを設定する一方、Ａ−ＤＰＣＨがＳＨＯ状態にある場合は、ＨＳ−ＤＰＣＣＨの誤り検出結果に基づいてＨＳ−ＤＰＣＣＨの目標ＳＩＲを設定することを特徴とする。
【００１４】
この特徴により、ＳＨＯが適用されるＡ−ＤＰＣＨとＨＨＯが適用されるＨＳ−ＤＰＣＣＨとが混在する無線通信システムにおいて、Ａ−ＤＰＣＨがＳＨＯ状態にある場合でも、適切な目標ＳＩＲを設定して、ＨＳ−ＤＰＣＣＨに対して適切なアウターループ送信電力制御を行うことができる。
【００１５】
【発明の実施の形態】
（実施の形態１）
図１は、本発明の実施の形態１に係る基地局装置および制御局装置の構成を示すブロック図である。この基地局装置および制御局装置は、Ｆａｓｔ−ＵＬやＨＳＤＰＡが行われる移動体通信システムにおいて使用されるものである。また、本実施の形態では、Ａ−ＤＰＣＨおよびＨＳ−ＤＰＣＣＨの双方がＣＲＣ符号化される場合について説明する。
【００１６】
基地局装置において、送信部１００は、符号化部１２、変調部１４、拡散部１６、送信無線部１８から構成される。
【００１７】
符号化部１２は、Ａ−ＤＰＣＨの送信データ（ビット列）を畳み込み符号化およびＣＲＣ符号化し、複数のタイムスロットから構成される送信フレームを構成する。また、ＨＳ−ＤＰＣＣＨの送信データ（ビット列）を畳み込み符号化およびＣＲＣ符号化し、複数のタイムスロットから構成される送信フレームを構成する。つまり、Ａ−ＤＰＣＨおよびＨＳ−ＤＰＣＣＨの双方がＣＲＣ符号化される。誤り検出符号化として、ＣＲＣ符号化以外の符号化方法を用いることも可能である。送信フレームを構成するとき、符号化部１２は、Ａ−ＤＰＣＨのタイムスロットに上り方向のＡ−ＤＰＣＨ用のＴＰＣコマンドを埋め込み、ＨＳ−ＤＰＣＣＨのタイムスロットに上り方向のＨＳ−ＤＰＣＣＨ用のＴＰＣコマンドを埋め込む。これらのＴＰＣコマンドは、ＴＰＣコマンド作成部３２から入力される。
なお、ＨＳ−ＤＰＣＣＨ用のＴＰＣコマンドは、Ａ−ＤＰＣＨがＳＨＯ状態にないときにはＡ−ＤＰＣＨ用のＴＰＣコマンドで代用され、Ａ−ＤＰＣＨがＳＨＯ状態にあるときだけＨＳ−ＤＰＣＣＨのタイムスロットに埋め込まれることもある。また、ＨＳ−ＤＰＣＣＨではなくて、Ａ−ＤＰＣＨの一部のタイムスロットに埋め込まれることもある。
【００１８】
変調部１４は、送信データに対してＱＰＳＫ等の変調処理を施す。拡散部１６は、変調後の送信信号に対して、それぞれのチャネルに割り当てられている拡散コードで拡散処理を施す。
【００１９】
送信無線部１８は、拡散後の送信信号に対してＤ／Ａ変換、アップコンバート等の処理を施した後、送信信号をアンテナ２０を介して送信する。送信無線部１８は、Ａ−ＤＰＣＨの送信信号をＡ−ＤＰＣＨを介して送信し、ＨＳ−ＤＰＣＣＨの送信信号をＨＳ−ＤＰＣＣＨを介して送信する。なお、ＨＳ−ＤＰＣＣＨが上り方向しか存在しない通信システムも考えられ、この場合は、基地局はＨＳ−ＤＰＣＣＨの送信処理を行わない。
【００２０】
受信部２００は、受信無線部２２、逆拡散部２４、復調部２６、復号部２８から構成される。
【００２１】
受信無線部２２は、アンテナ２０を介して受信された信号（ＣＲＣ符号化されたＡ−ＤＰＣＨ信号、ＣＲＣ符号化されたＨＳ−ＤＰＣＣＨ信号）に対してダウンコンバート、ＡＧＣ（Ａｕｔｏ　Ｇａｉｎ　Ｃｏｎｔｒｏｌ）、Ａ／Ｄ変換等の処理を施す。逆拡散部２４は、受信信号に対して、それぞれのチャネルに割り当てられている拡散コードで逆拡散処理を施す。復調部２６は、逆拡散後のＱＰＳＫ信号等を復調する。復調された信号は、復号部２８およびＳＩＲ測定部３４に入力される。
【００２２】
復号部２８は、Ａ−ＤＰＣＨの受信信号およびＨＳ−ＤＰＣＣＨの受信信号に対して、誤り訂正復号およびＣＲＣ判定による誤り検出を行う。これにより、Ａ−ＤＰＣＨの受信データ（ビット列）およびＨＳ−ＤＰＣＣＨの受信データ（ビット列）が得られる。また、Ａ−ＤＰＣＨのＣＲＣ結果（以下、ＣＲＣＡと示す）およびＨＳ−ＤＰＣＣＨのＣＲＣ結果（以下、ＣＲＣＨＳと示す）、すなわち、ＣＲＣ＝ＯＫ（誤りなし）またはＣＲＣ＝ＮＧ（誤りあり）が、制御局装置の
目標ＳＩＲ設定部３０に入力される。目標ＳＩＲ設定部３０には、他の基地局装置からのＣＲＣ結果も入力される。
【００２３】
目標ＳＩＲ設定部３０は、Ａ−ＤＰＣＨがＳＨＯ状態にない場合は、Ａ−ＤＰＣＨの目標ＳＩＲ（以下、目標ＳＩＲＡと示す）およびＨＳ−ＤＰＣＣＨの目標ＳＩＲ（以下、目標ＳＩＲＨＳと示す）の双方を、ＣＲＣＡに基づいて設定する。
一方、Ａ−ＤＰＣＨがＳＨＯ状態にある場合は、目標ＳＩＲＡをＣＲＣＡに基づいて設定し、目標ＳＩＲＨＳをＣＲＣＨＳに基づいて設定する。つまり、Ａ−ＤＰＣＨがＳＨＯ状態にある場合は、目標ＳＩＲＡと目標ＳＩＲＨＳとをそれぞれ独立に制御する。なお、制御局装置は、ＨＯの制御をしているため、各チャネルが現在どのような接続状態にあるのかが分かる。目標ＳＩＲ設定部３０は、設定した目標ＳＩＲＡおよび目標ＳＩＲＨＳを、基地局装置のＴＰＣコマンド作成部３２に入力する。なお、目標ＳＩＲは、ＣＲＣ＝ＯＫの場合はＤｅｃだけ下げられ、ＣＲＣ＝ＮＧの場合はＩｎｃだけ上げられる。ＤｅｃとＩｎｃの関係は上式（１）に示すとおりである。なお、目標ＳＩＲの制御は他の方法で行うことも可能である。
例えば、一定期間のＢＬＥＲを測定し、そのＢＬＥＲが目標ＢＬＥＲ以上であれば目標ＳＩＲを下げ、目標ＢＬＥＲ未満であれば目標ＳＩＲを上げるような制御を行ってもよい。
【００２４】
基地局装置のＳＩＲ測定部３４は、受信信号のうちパイロット系列のシンボルのＳＩＲを測定する。すなわち、ＳＩＲ測定部３６は、Ａ−ＤＰＣＨの受信ＳＩＲ（以下、受信ＳＩＲＡと示す）およびＨＳ−ＤＰＣＣＨの受信ＳＩＲ（以下、受信ＳＩＲＨＳと示す）を測定する。測定されたＳＩＲは、ＴＰＣコマンド作成部３２に入力される。
【００２５】
ＴＰＣコマンド作成部３２は、受信ＳＩＲＡと目標ＳＩＲＡとの比較結果に基づいて上り方向のＡ−ＤＰＣＨ用のＴＰＣコマンドを作成する。また、受信ＳＩＲＨＳと目標ＳＩＲＨＳとの比較結果に基づいて上り方向のＨＳ−ＤＰＣＣＨ用のＴＰＣコマンドを作成する。受信ＳＩＲが目標ＳＩＲ以上であれば送信電力を下げること（Ｄｏｗｎ）を指示するＴＰＣコマンドが作成され、受信ＳＩＲが目標ＳＩＲ未満であれば送信電力を上げること（Ｕｐ）を指示するＴＰＣコマンドが作成される。作成されたＴＰＣコマンドは、符号化部１２に入力される。
【００２６】
次いで、Ｆａｓｔ−ＵＬを例に挙げ、Ａ−ＤＰＣＨがＳＨＯ状態にある場合のアウターループ送信電力制御について説明する。図２は、Ａ−ＤＰＣＨがＳＨＯ状態にある場合を示す。
【００２７】
通信端末が基地局１から基地局２の方へ移動していき、Ａ−ＤＰＣＨがＳＨＯ状態になると、Ａ−ＤＰＣＨは基地局１および基地局２の双方と接続される。図２では、ＨＳ−ＤＰＣＣＨがＨＨＯ前の状態を示しているため、ＨＳ−ＤＰＣＣＨは基地局１とだけ接続されている。よって、基地局１からＣＲＣＡおよびＣＲＣＨＳが制御局に送信され、基地局２からＣＲＣＡが制御局に送信される。
【００２８】
Ａ−ＤＰＣＨがＳＨＯ状態にある場合、制御局では、ＣＲＣＡに基づいて目標ＳＩＲＡを設定し、ＣＲＣＨＳに基づいて目標ＳＩＲＨＳを設定する。そして、目標ＳＩＲＡを基地局１および基地局２の双方へ送信し、目標ＳＩＲＨＳを基地局１にだけ送信する。
【００２９】
基地局１では、受信ＳＩＲＡと目標ＳＩＲＡとの比較結果に基づいてＡ−ＤＰＣＨ用のＴＰＣコマンドを作成して、そのＴＰＣコマンドを下り方向のＡ−ＤＰＣＨを介して通信端末へ送信する。また、受信ＳＩＲＨＳと目標ＳＩＲＨＳとの比較結果に基づいてＨＳ−ＤＰＣＣＨ用のＴＰＣコマンドを作成して、そのＴＰＣコマンドを下り方向のＨＳ−ＤＰＣＣＨを介して通信端末へ送信する。
【００３０】
基地局２では、受信ＳＩＲＡと目標ＳＩＲＡとの比較結果に基づいてＡ−ＤＰＣＨ用のＴＰＣコマンドを作成して、そのＴＰＣコマンドを下り方向のＡ−ＤＰＣＨを介して通信端末へ送信する。
【００３１】
通信端末は、ＨＳ−ＤＰＣＣＨ用のＴＰＣコマンドに従って、上り方向のＨＳ−ＤＰＣＣＨの送信電力を制御する。また、Ａ−ＤＰＣＨ用のＴＰＣコマンドに従って、上り方向のＡ−ＤＰＣＨの送信電力を制御する。Ａ−ＤＰＣＨについては、受信した２つのＴＰＣコマンドの双方が送信電力を上げることを指示するＴＰＣコマンドであれば、Ａ−ＤＰＣＨの送信電力を上げ、受信した２つのＴＰＣコマンドのうちいずれか１つが送信電力を下げることを指示するＴＰＣコマンドであれば、Ａ−ＤＰＣＨの送信電力を下げる。
【００３２】
以上のようにして、Ａ−ＤＰＣＨがＳＨＯ状態にある場合のアウターループ送信電力制御が行われる。
【００３３】
次に、各チャネルにおいて目標ＳＩＲが設定される様子について図３を用いて説明する。なお、図３では、１ブロックは１ＴＴＩ（Ｔｒａｎｓｍｉｓｓｉｏｎ　Ｔｉｍｅ　Ｉｎｔｅｒｖａｌ）に相当する。
【００３４】
Ａ−ＤＰＣＨがＳＨＯ状態にない場合（Ｎｏｎ−ＳＨＯの場合）は、目標ＳＩＲＨＳおよび目標ＳＩＲＡの双方が、基地局１でのＣＲＣＡに基づいて設定される。
したがって、例えば、図３に示すように、ｔ１でＣＲＣＡ＝ＯＫとなる場合には、ｔ２で目標ＳＩＲＨＳおよび目標ＳＩＲＡの双方がＤｅｃだけ下がる。また、ｔ３でＣＲＣＡ＝ＮＧとなる場合には、ｔ４で目標ＳＩＲＨＳおよび目標ＳＩＲＡの双方がＩｎｃだけ上がる。
【００３５】
そして、Ａ−ＤＰＣＨがＳＨＯ状態になると、目標ＳＩＲＨＳはＣＲＣＨＳに基づいて設定され、目標ＳＩＲＡはＣＲＣＡに基づいて設定される。つまり、目標ＳＩＲＨＳは、目標ＳＩＲＡと独立して制御される。なお、目標ＳＩＲＡについては、基地局１のＣＲＣＡと基地局２のＣＲＣＡの双方がＮＧとなった場合にＩｎｃだけ上がり、どちらか１つでもＯＫとなった場合にはＤｅｃだけ下がる。したがって、例えば、図３に示すように、ｔ６で、基地局１でＣＲＣＨＳ＝ＮＧ、ＣＲＣＡ＝ＮＧとなり、基地局２でＣＲＣＡ＝ＯＫとなった場合には、ｔ７で、目標ＳＩＲＨＳがＩｎｃだけ上がり、目標ＳＩＲＡがＤｅｃだけ下がる。このようにｔ７で目標ＳＩＲＡが下がっても目標ＳＩＲＨＳが上がる結果、ｔ８においては、ＣＲＣＨＳ＝ＯＫとなる。
【００３６】
このように、本実施の形態によれば、Ａ−ＤＰＣＨがＳＨＯ状態にある場合に、目標ＳＩＲＨＳと目標ＳＩＲＡをそれぞれ個別に制御して、目標ＳＩＲＨＳを目標ＳＩＲＡとは独立に設定するため、Ａ−ＤＰＣＨがＳＨＯ状態にある場合でも、ＨＳ−ＤＰＣＣＨの品質が所要品質を満たすことができる。
【００３７】
（実施の形態２）
本実施の形態では、Ａ−ＤＰＣＨがＣＲＣ符号化されるのに対し、ＨＳ−ＤＰＣＣＨがＣＲＣ符号化されない場合について説明する。よって、図１に示す基地局装置において、符号化部１２は、Ａ−ＤＰＣＨの送信データを畳み込み符号化およびＣＲＣ符号化するのに対し、ＨＳ−ＤＰＣＣＨの送信データを畳み込み符号化だけする。また、復号部２８は、Ａ−ＤＰＣＨの受信信号に対して誤り訂正復号およびＣＲＣ判定を行うのに対し、ＨＳ−ＤＰＣＣＨの受信信号に対して誤り訂正復号だけ行う。したがって、制御局装置には、各基地局装置から、ＣＲＣＡだけが入力され、ＣＲＣＨＳは入力されない。
【００３８】
図４は、本発明の実施の形態２に係る制御局装置の目標ＳＩＲ設定部３０の構成を示すブロック図である。
【００３９】
Ａ−ＤＰＣＨがＳＨＯ状態になる前は、目標ＳＩＲ制御部３０２には、基地局１だけからＣＲＣＡが入力される。目標ＳＩＲ制御部３０２は、基地局１から入力されたＣＲＣＡに基づいて目標ＳＩＲＡを制御する。制御後の目標ＳＩＲＡは、基地局１へ送信されると共に、オフセット付加部３０４に入力される。オフセット付加部３０４には、ＨＯ（ハンドオーバ）情報が入力される。このＨＯ情報は、Ａ−ＤＰＣＨがＳＨＯ状態にあるか否かを示す情報である。また、このＨＯ情報は、制御局装置内において作成される。オフセット付加部３０４は、Ａ−ＤＰＣＨがＳＨＯ状態にない場合は、目標ＳＩＲＡをそのまま目標ＳＩＲＨＳとして基地局１へ送信する。
【００４０】
Ａ−ＤＰＣＨがＳＨＯ状態になると、目標ＳＩＲ制御部３０２には、基地局１および基地局２の双方からＣＲＣＡが入力される。目標ＳＩＲ制御部３０２は、基地局１のＣＲＣＡと基地局２のＣＲＣＡの双方がＮＧである場合に目標ＳＩＲＡをＩｎｃだけ上げ、どちらか１つでもＯＫである場合は目標ＳＩＲＡをＤｅｃだけ下げる。制御後の目標ＳＩＲＡは、基地局１へ送信されると共に、オフセット付加部３０４に入力される。オフセット付加部３０４は、Ａ−ＤＰＣＨがＳＨＯ状態にある場合は、目標ＳＩＲＡにオフセットを加えた値を目標ＳＩＲＨＳとして基地局１へ送信する。
【００４１】
つまり、本実施の形態では、Ａ−ＤＰＣＨがＳＨＯ状態にない場合は、目標ＳＩＲＨＳが目標ＳＩＲＡと等しい値に設定され、Ａ−ＤＰＣＨがＳＨＯ状態にある場合は、目標ＳＩＲＨＳが目標ＳＩＲＡにオフセットを加えた値に設定される。
【００４２】
次に、各チャネルにおいて目標ＳＩＲが設定される様子について図５を用いて説明する。なお、図５では、１ブロックは１ＴＴＩに相当する。また、Ａ−ＤＰＣＨがＳＨＯ状態にない場合（Ｎｏｎ−ＳＨＯの場合）については、実施の形態１と同じであるため説明を省略する。
【００４３】
Ａ−ＤＰＣＨがＳＨＯ状態になると、図５に示すように、目標ＳＩＲＨＳは、ＣＲＣＡに基づいて設定された目標ＳＩＲＡにオフセットを加えた値になる。例えば、図５に示すように、ｔ８で、基地局１でＣＲＣＡ＝ＮＧとなり、基地局２でＣＲＣＡ＝ＯＫとなった場合には、ｔ９で、目標ＳＩＲＨＳおよび目標ＳＩＲＡの双方がＤｅｃだけ下がる。このようにｔ９で目標ＳＩＲＨＳが下がっても、オフセットが十分大きいため、ｔ１０においては、ＨＳ−ＤＰＣＣＨは誤らない。このように、目標ＳＩＲＨＳは、目標ＳＩＲＡと同じタイミングで同じ量だけ上下するが、Ａ−ＤＰＣＨがＳＨＯ状態にある場合には、常に目標ＳＩＲＡよりオフセット分だけ大きい値になる。
【００４４】
このように、本実施の形態によれば、Ａ−ＤＰＣＨがＳＨＯ状態にある場合に、目標ＳＩＲＡに十分大きいオフセットを加えた値を目標ＳＩＲＨＳとするため、Ａ−ＤＰＣＨがＳＨＯ状態にある場合でも、ＨＳ−ＤＰＣＣＨの品質が所要品質を満たすことができる。また、ＨＳ−ＤＰＣＣＨがＣＲＣ符号化されない移動体通信システムでもＨＳ−ＤＰＣＣＨのアウターループ送信電力制御が可能になる。さらに、目標ＳＩＲＡを基準にして目標ＳＩＲＨＳを設定するため、Ａ−ＤＰＣＨさえ連続的に送信されていれば、ＨＳ−ＤＰＣＣＨが連続的に送信されていなくても、ＨＳ−ＤＰＣＣＨの送信開始時には適切な目標ＳＩＲＨＳが設定される。
つまり、ＨＳ−ＤＰＣＣＨが間欠的に送信される場合でも、ＨＳ−ＤＰＣＣＨに対して適切なアウターループ送信電力制御を行うことができる。
【００４５】
（実施の形態３）
本実施の形態では、Ａ−ＤＰＣＨがＣＲＣ符号化されるのに対し、ＨＳ−ＤＰＣＣＨがＣＲＣ符号化されない場合について説明する。よって、基地局装置の構成は実施の形態２と同一になる。また、制御局装置の構成は図６に示すようになる。図６は、本発明の実施の形態３に係る制御局装置の目標ＳＩＲ設定部３０の構成を示すブロック図である。
【００４６】
Ａ−ＤＰＣＨがＳＨＯ状態になる前は、ＨＯ情報に従ってスイッチ１のＡおよびＢが共に開放される。また、ＨＯ情報に従ってスイッチ２のＡ−Ｃ間が接続される。また、Ａ−ＤＰＣＨがＳＨＯ状態になる前なので、目標ＳＩＲ設定部３０には、基地局１からはＣＲＣＡが入力されるが、基地局２からはＣＲＣＡが入力されない。目標ＳＩＲ制御部３０６は、基地局１から入力されたＣＲＣＡに基づいて目標ＳＩＲＡを制御する。制御後の目標ＳＩＲＡは、基地局１へ送信されると共に、スイッチ２を介してオフセット付加部３１０に入力される。オフセット付加部３１０は、目標ＳＩＲＡにオフセットを加えた値を目標ＳＩＲＨＳとして基地局１へ送信する。なお、オフセット付加部３１０を省略し、目標ＳＩＲ制御部３０６から出力された目標ＳＩＲＡをそのまま目標ＳＩＲＨＳとして基地局１へ送信してもよい。
【００４７】
Ａ−ＤＰＣＨがＳＨＯ状態になると、ＨＯ情報に従ってスイッチ１のＡが開放され、Ｂが接続される。また、ＨＯ情報に従ってスイッチ２のＡ−Ｃ間が接続される。また、目標ＳＩＲ設定部３０には、基地局１および基地局２の双方からＣＲＣＡが入力される。よって、Ａ−ＤＰＣＨがＳＨＯ状態になる前と同様、目標ＳＩＲ制御部３０６は、基地局１から入力されたＣＲＣＡに基づいて目標ＳＩＲＡを制御し、オフセット付加部３１０は、目標ＳＩＲＡをそのまま目標ＳＩＲＨＳとして、または、目標ＳＩＲＡにオフセットを加えた値を目標ＳＩＲＨＳとして基地局１へ送信する。目標ＳＩＲ制御部３０８は、基地局１のＣＲＣＡと基地局２のＣＲＣＡの双方がＮＧである場合に目標ＳＩＲＡをＩｎｃだけ上げ、どちらか１つでもＯＫである場合は目標ＳＩＲＡをＤｅｃだけ下げる。目標ＳＩＲ制御部３０８での制御後の目標ＳＩＲＡは、基地局２へ送信される。
【００４８】
そして、ＨＳ−ＤＰＣＣＨがＨＨＯする（つまり、ＨＳ−ＰＵＳＣＨがＨＨＯする）と、ＨＯ情報に従ってスイッチ１のＡが接続され、Ｂが開放される。また、ＨＯ情報に従ってスイッチ２のＢ−Ｃ間が接続される。本実施の形態でのＨＯ情報には、ＨＳ−ＤＰＣＣＨがＨＨＯするタイミングに関する情報も含まれている。目標ＳＩＲ制御部３０６は、基地局１のＣＲＣＡと基地局２のＣＲＣＡの双方がＮＧである場合に目標ＳＩＲＡをＩｎｃだけ上げ、どちらか１つでもＯＫである場合は目標ＳＩＲＡをＤｅｃだけ下げる。制御後の目標ＳＩＲＡは、基地局１へ送信される。目標ＳＩＲ制御部３０８は、基地局２から入力されたＣＲＣＡに基づいて目標ＳＩＲＡを制御し、オフセット付加部３１０は、目標ＳＩＲＡをそのまま目標ＳＩＲＨＳとして、または、目標ＳＩＲＡにオフセットを加えた値を目標ＳＩＲＨＳとして基地局２へ送信する。
【００４９】
つまり、本実施の形態では、Ａ−ＤＰＣＨがＳＨＯ状態である場合に、Ａ−ＤＰＣＨおよびＨＳ−ＤＰＣＣＨの双方に接続している基地局において、その基地局でのＣＲＣＡのみに基づいて目標ＳＩＲＡを設定する。より具体的には、Ａ−ＤＰＣＨがＳＨＯ状態であり、ＨＳ−ＤＰＣＣＨがＨＨＯ前の状態では、基地局１の目標ＳＩＲＡは、基地局１のＣＲＣＡのみに基づいて設定され、基地局２の目標ＳＩＲＡは、基地局１のＣＲＣＡおよび基地局２のＣＲＣＡの双方に基づいて設定される。また、Ａ−ＤＰＣＨがＳＨＯ状態であり、ＨＳ−ＤＰＣＣＨがＨＨＯ後の状態では、基地局１の目標ＳＩＲＡは、基地局１のＣＲＣＡおよび基地局２のＣＲＣＡの双方に基づいて設定され、基地局２の目標ＳＩＲＡは、基地局２のＣＲＣＡのみに基づいて設定される。
【００５０】
ここで、Ａ−ＤＰＣＨがＳＨＯ状態にある場合に、複数のＣＲＣＡのすべてがＮＧであれば目標ＳＩＲＡを上げ、複数のＣＲＣＡのうち１つでもＯＫであれば目標ＳＩＲＡを下げるような制御を行うと、Ａ−ＤＰＣＨがＳＨＯ状態にある場合の目標ＳＩＲＡは、Ａ−ＤＰＣＨがＳＨＯ状態にない場合の目標ＳＩＲＡよりも低い値に設定される。換言すれば、１つの基地局のＣＲＣＡに基づいて設定した目標ＳＩＲＡは、複数の基地局のＣＲＣＡに基づいて設定した目標ＳＩＲＡよりも大きい値になる。
【００５１】
よって、本実施の形態の構成によれば、Ａ−ＤＰＣＣＨがＳＨＯ状態にある場合に、ＨＳ−ＤＰＣＣＨが接続されている基地局の目標ＳＩＲＡは、ＨＳ−ＤＰＣＣＨが接続されていない基地局の目標ＳＩＲＡよりも大きい値になる。また、ＨＳ−ＤＰＣＣＨが接続されている基地局の目標ＳＩＲＡは、１つの基地局のＣＲＣＡに基づいて設定されるので、所要品質を満たすような目標ＳＩＲとなる。目標ＳＩＲＨＳは、ＨＳ−ＤＰＣＣＨが接続されている基地局の目標ＳＩＲＡと等しい値またはオフセットを加えた値に設定されるので、目標ＳＩＲＨＳも、所要品質を満たすような目標ＳＩＲとなる。
【００５２】
次に、各チャネルにおいて目標ＳＩＲが設定される様子について図７を用いて説明する。なお、図７では、１ブロックは１ＴＴＩに相当する。また、図７では、目標ＳＩＲＨＳが目標ＳＩＲＡと等しい値に設定される。また、Ａ−ＤＰＣＨがＳＨＯ状態にない場合（Ｎｏｎ−ＳＨＯの場合）については、実施の形態１と同じであるため説明を省略する。
【００５３】
Ａ−ＤＰＣＨがＳＨＯ状態になると、図７に示すように、基地局１の目標ＳＩＲＡと基地局２の目標ＳＩＲＡはそれぞれ独立に制御される。例えば、図７に示すように、ｔ６で、基地局１でＣＲＣＡ＝ＮＧとなり、基地局２でＣＲＣＡ＝ＯＫとなったものとする。基地局１でＣＲＣＡがＮＧなので、基地局１の目標ＳＩＲＡはｔ７でＩｎｃだけ上がる。また、基地局１の目標ＳＩＲＡに合わせて基地局１の目標ＳＩＲＨＳもｔ７でＩｎｃだけ上がる。これに対し、基地局１でのＣＲＣＡがＮＧで、基地局２でのＣＲＣＡがＯＫなので、基地局２の目標ＳＩＲＡはｔ７でＤｅｃだけ下がる。
【００５４】
このように、本実施の形態によれば、Ａ−ＤＰＣＨがＳＨＯ状態にある場合に、Ａ−ＤＰＣＨおよびＨＳ−ＤＰＣＣＨの双方に接続している基地局において、その基地局でのＣＲＣＡのみに基づいて目標ＳＩＲＡを設定し、その目標ＳＩＲＡに合わせて目標ＳＩＲＨＳを設定するため、Ａ−ＤＰＣＨがＳＨＯ状態にある場合でも、ＨＳ−ＤＰＣＣＨの品質が所要品質を満たすことができる。
【００５５】
（実施の形態４）
本実施の形態では、実施の形態３におけるオフセット量を制御する。但し、本実施の形態では、Ａ−ＤＰＣＨおよびＨＳ−ＤＰＣＣＨの双方がＣＲＣ符号化される。よって、基地局装置の構成は実施の形態２と同一になる。また、制御局装置の構成は図８に示すようになり、実施の形態３（図６）にさらにオフセット制御部３１２を付加した構成となる。図８は、本発明の実施の形態４に係る制御局装置の目標ＳＩＲ設定部３０の構成を示すブロック図である。図８において、実施の形態３（図６）と同一の構成については説明を省略する。
【００５６】
Ａ−ＤＰＣＨがＳＨＯ状態になると、オフセット制御部３１２に、基地局１からＣＲＣＡおよびＣＲＣＨＳの双方が入力される。オフセット制御部３１２は、ＣＲＣＡとＣＲＣＨＳとの比較結果に基づいて、オフセット付加部３１０に設定されているオフセット量を制御する。具体的には、ＣＲＣＡ＝ＯＫでＣＲＣＨＳ＝ＮＧの場合は、オフセットを所定量だけ上げる。一方、ＣＲＣＡ＝ＮＧでＣＲＣＨＳ＝ＯＫの場合は、オフセットを所定量だけ下げる。なお、ＣＲＣＡおよびＣＲＣＨＳの双方がＯＫの場合、または、ＣＲＣＡおよびＣＲＣＨＳの双方がＮＧの場合は、現在のオフセット量を維持する。
【００５７】
なお、ＨＳ−ＤＰＣＣＨが基地局で終端している場合には、オフセット制御部３１２およびオフセット付加部３１０は、制御局装置ではなく基地局装置に備えられる。
【００５８】
次に、各チャネルにおいて目標ＳＩＲが設定される様子について図９を用いて説明する。なお、図９では、１ブロックは１ＴＴＩに相当する。また、Ａ−ＤＰＣＨがＳＨＯ状態にない場合（Ｎｏｎ−ＳＨＯの場合）については、実施の形態１と同じであるため説明を省略する。
【００５９】
Ａ−ＤＰＣＨがＳＨＯ状態になると、図９に示すように、基地局１の目標ＳＩＲＡと基地局２の目標ＳＩＲＡはそれぞれ独立に制御される。また、基地局１の目標ＳＩＲＨＳは、基地局１の目標ＳＩＲＡにオフセットを加えた値に設定される。
このオフセット量は、上記のように、基地局１のＣＲＣＡと基地局１のＣＲＣＨＳとの比較結果に基づいて制御される。例えば、図９に示すように、ｔ８で、基地局１のＣＲＣＨＳがＯＫ、基地局１のＣＲＣＡ＝ＮＧとなった場合は、ｔ９でのオフセット量はｔ８でのオフセット量よりも所定量だけ下げられる。
【００６０】
このように、本実施の形態によれば、ＣＲＣＡとＣＲＣＨＳとの比較結果に基づいてオフセット量を制御するため、符号化方法の違いなどに起因して、ＨＳ−ＤＰＣＣＨの誤り特性がＡ−ＤＰＣＨの誤り特性と異なる場合でも、ＨＳ−ＤＰＣＣＨに対して適切なアウターループ送信電力制御を行うことができる。
【００６１】
（実施の形態５）
本実施の形態では、基地局１に設定された目標ＳＩＲＨＳを、ＨＳ−ＤＰＣＣＨがＨＨＯするタイミング（つまり、ＨＳ−ＰＵＳＣＨがＨＨＯするタイミング）で基地局２に通知する。
【００６２】
図１０に示すように、ハンドオーバ元の基地局１は、ＨＳ−ＤＰＣＣＨが基地局２にＨＨＯした場合（つまり、ＨＳ−ＰＵＳＣＨが基地局２にＨＨＯした場合）、目標ＳＩＲＨＳを制御局経由でハンドオーバ先の基地局２へ通知する。図１１に、目標ＳＩＲＨＳが、ハンドオーバ元の基地局１からハンドオーバ先の基地局２へ通知されるタイミングを示す。Ａ−ＤＰＣＨがＳＨＯ状態にある場合において、まず、制御局から基地局１に対して目標ＳＩＲＨＳの送信指示が出される。この指示に従って、基地局１は、自局に設定されている目標ＳＩＲＨＳを制御局に送信する。制御局は、基地局１から送信された目標ＳＩＲＨＳを、基地局２へ送信する。その後、制御局は、基地局１および基地局２に対して、ＨＳ−ＤＰＣＣＨのＨＨＯの指示を出す。この指示に従って、基地局１はＨＳ−ＤＰＣＣＨを切断し、基地局２はＨＳ−ＤＰＣＣＨを接続する。ＨＳ−ＤＰＣＣＨの接続後、基地局２は、制御局から送信された目標ＳＩＲＨＳを自局に設定する。
【００６３】
なお、目標ＳＩＲＨＳが制御局で管理されている場合には、制御局は、ＨＳ−ＤＰＣＣＨのＨＨＯ指示後、その管理している目標ＳＩＲＨＳを基地局２へ送信する。
【００６４】
このように、本実施の形態によれば、目標ＳＩＲＨＳが、ハンドオーバ元の基地局からハンドオーバ先の基地局へ、ＨＳ−ＤＰＣＣＨがＨＨＯするタイミングで通知されるため、基地局２におけるＨＳ−ＤＰＣＣＨの通信開始時に適切な目標ＳＩＲＨＳを設定することができる。
【００６５】
なお、本実施の形態ではＦａｓｔ−ＵＬを例に挙げて説明したが、これに限られるものではなく、本発明は、ＳＨＯが適用される個別チャネルとＨＨＯが適用される個別チャネルとが混在する無線通信システムにはすべて適用可能である。
【００６６】
【発明の効果】
以上説明したように、本発明によれば、ＳＨＯが適用されるＡ−ＤＰＣＨとＨＨＯが適用されるＨＳ−ＤＰＣＣＨとが混在する無線通信システムにおいて、アウターループ送信電力制御の目標ＳＩＲを適切な値に設定して、ＨＳ−ＤＰＣＣＨの受信品質を所要品質に保つことができる。
【図面の簡単な説明】
【図１】本発明の実施の形態１に係る基地局装置および制御局装置の構成を示すブロック図
【図２】本発明の実施の形態１に係るアウターループ送信電力制御について説明するための図
【図３】本発明の実施の形態１に係る各チャネルにおいて目標ＳＩＲが設定される様子について説明するための図
【図４】本発明の実施の形態２に係る制御局装置の目標ＳＩＲ設定部の構成を示すブロック図
【図５】本発明の実施の形態２に係る各チャネルにおいて目標ＳＩＲが設定される様子について説明するための図
【図６】本発明の実施の形態３に係る制御局装置の目標ＳＩＲ設定部の構成を示すブロック図
【図７】本発明の実施の形態３に係る各チャネルにおいて目標ＳＩＲが設定される様子について説明するための図
【図８】本発明の実施の形態４に係る制御局装置の目標ＳＩＲ設定部の構成を示すブロック図
【図９】本発明の実施の形態４に係る各チャネルにおいて目標ＳＩＲが設定される様子について説明するための図
【図１０】本発明の実施の形態５に係る目標ＳＩＲＨＳの通知動作の概略図
【図１１】本発明の実施の形態５に係る目標ＳＩＲＨＳの通知タイミングを示す図
【図１２】従来のアウターループ送信電力制御（Ａ−ＤＰＣＨがＳＨＯ状態にない場合）について説明するための図
【図１３】従来のアウターループ送信電力制御（Ａ−ＤＰＣＨがＳＨＯ状態にある場合）について説明するための図
【符号の説明】
１２　符号化部
１４　変調部
１６　拡散部
１８　送信無線部
２０　アンテナ
２２　受信無線部
２４　逆拡散部
２６　復調部
２８　復号部
３０　目標ＳＩＲ設定部
３２　ＴＰＣコマンド作成部
３４　ＳＩＲ測定部
１００　送信部
２００　受信部
３０６，３０８　目標ＳＩＲ制御部
３１０　オフセット付加部
３１２　オフセット制御部
【図１】
2004088271.tif 000003
【図２】
2004088271.tif 000004
【図３】
2004088271.tif 000005
【図４】
2004088271.tif 000006
【図５】
2004088271.tif 000007
【図６】
2004088271.tif 000008
【図７】
2004088271.tif 000009
【図８】
2004088271.tif 000010
【図９】
2004088271.tif 000011
【図１０】
2004088271.tif 000012
【図１１】
2004088271.tif 000013
【図１２】
2004088271.tif 000014
【図１３】
2004088271.tif 000015